(57)【要約】【課題】供給コンベヤの清掃等の保守作業を容易になし得る横形製袋充填機の供給コンベヤを提供する。【解決手段】物品Ｗが載置される供給ベッド１２,１２は、本体部１０の上方開放部Ｔを開閉自在に配設される。供給ベッド１２,１２の上方には、物品Ｗの幅方向両側部を案内可能な一対の物品ガイド３２,３２が、本体部１０に配設した調節機構３６に連繋されて幅方向の対向間隔を調節可能に構成される。調節機構３６は、幅方向に延在して相互に反対方向に移動する取付部材３８,３８を備え、各取付部材３８の本体部１０から外側方に突出する端部に対応する物品ガイド３２が回動可能に支持される。そして物品ガイド３２は、供給ベッド１２,１２上の物品Ｗを案内可能な案内位置および該供給ベッド１２,１２の上方から側方に離間した開放位置の間を回動する。【選択図】図４
2011173622.tif 000002
【特許請求の範囲】
【請求項１】
供給コンベヤの側壁(20,22)間の上方開放部(T)を覆うように供給コンベヤにおける本体部(10)の上部に配設され、物品搬送ライン(L)に沿って延在するすき間(S)を画成する供給ベッド(12,12)と、
前記すき間(S)を介して上方へ延出し、該供給ベッド(12,12)に載置された物品(W)を物品搬送ライン(L)に沿って押送する押送部材(16)と、
前記供給ベッド(12,12)の上方に所定のすき間をもって配設され、前記押送部材(16)で搬送される物品(M)の側方を案内する案内面(32b)となる側板と天板(32a)とを有する一対の物品ガイド(32,32)と、
前記本体部(10)に設けられ、前記各物品ガイド(32,32)を近接・離間移動する調節部(44)と、
該調節部(44)において前記側壁(20,22)から一端を外方に突出し、物品搬送方向と交差する方向に移動する移動ロッド(38a)と、
前記物品ガイド(32)を移動ロッド(38a)の突出端部に回動可能に支持する回動手段(58)との夫々を備え、
前記物品ガイド(32)は、前記供給ベッド(12)上方の案内位置から本体部(10)から離間した側方の開放位置まで回動可能に構成した
ことを特徴とする横形製袋充填機の供給コンベヤ。
【請求項２】
前記供給ベッド(12)は、前記上部開放部(T)を覆って水平に臨む閉成位置と、上部開放部(T)を開放する開放位置との間を回動可能に前記本体部(10)へ支持する構成とした請求項１記載の横形製袋充填機の供給コンベヤ。
【請求項３】
前記供給ベッド(12)および物品ガイド(32)の夫々は、裏面側が表向きとなる姿勢まで回動し、開放位置でその姿勢を維持し得るよう構成した請求項２記載の横形製袋充填機の供給コンベヤ。
【請求項４】
前記物品ガイド(32)における前記案内面(32b)寄りに位置して物品搬送方向に所定間隔毎に配設され、該物品ガイド(32)の案内位置において前記供給ベッド(12)上に載置される載置部(64)を有するガイド部材(62)を備え、該載置部(64)には、供給ベッド(12)に当接する回転体(60)を設けた請求項１〜３の何れか一項に記載の横形製袋充填機の供給コンベヤ。
【発明の詳細な説明】
【技術分野】
【０００１】
本発明は、横形製袋充填機において物品をフィルムに向けて供給する供給コンベヤに関するものである。
【背景技術】
【０００２】
横形製袋充填機は、製袋手段により筒状に成形された筒状フィルムに向けて物品を所定間隔毎に搬送する供給コンベヤを備えている。この供給コンベヤは、物品搬送面の下方に、物品を押送する押送部材を所定間隔毎に設けた無端チェンが走行自在に配設される。そして各押送部材が、物品搬送面における物品搬送ラインに沿って延在する細長のすき間を介して物品搬送面から上方へ突出した状態で移動し、物品搬送面上に載置された物品を筒状フィルムに向けて押送するようになっている。
【０００３】
前記物品搬送面の上方には、各押送部材により物品搬送面上を押送される物品の左右側部を案内するための一対の物品ガイドが配設されている。各物品ガイドは、例えば特許文献１に記載されているように、供給コンベヤの物品搬送面より下方に配設したガイド調節機構に、物品搬送面となる供給ベッドに設けられた複数の案内開口部に挿通されたガイド支持部を介して連結されて、押送される物品の幅に応じて両物品ガイドの間隔を調節し得るようになっている。また、ガイド支持部における物品搬送面から突出する取付台部に対して物品ガイドは嵌脱自在に配設されて、必要に応じて取り外し得るよう構成されている。
【先行技術文献】
【特許文献】
【０００４】
【特許文献１】特許第４３７４５４３号公報
【発明の概要】
【発明が解決しようとする課題】
【０００５】
殊に食品等の包装に関しては、食品が直に接する供給コンベヤは衛生的な状態を維持することが求められており、横形製袋充填機においては、供給コンベヤ全体をアルコールや水等による洗浄、清掃作業が定期的に実施されている。特に供給コンベヤの前記供給ベッドや物品ガイドの物品との接触面が徹底した清掃がなされ、また、その清掃作業は品種が変更される都度実施される等、頻度の高いものとなっている。このようなことから、清掃をより手間なく簡便に行ない得るように改善された装置が求められている。
【０００６】
前記特許文献１に開示の装置では、供給ベッドを清掃する際には供給ベッド上部に配置されている物品ガイドとのすき間に入り込んだ物品のカス等を排除することなどによって、物品ガイドを前記ガイド支持部から取り外して行なわれる。この場合において、物品ガイドを取り外した際に、供給ベッドには、ガイド支持部の移動範囲に対応した複数の案内開口部が存在し、供給ベッドの拭き掃除等においてはそれらが妨げとなって清掃作業に手間取るばかりでなく、取付台部や案内開口部を含めた清掃が必要になると共に、包装生産時における物品供給に際して物品から脱落したカスが物品ガイドとのすき間を経て前記案内開口部を介して供給コンベヤの内部に落下するため、その除去作業を含む清掃も行なう必要があり、清掃作業には手間が掛かり、長い作業時間を要するものとなっている。
【０００７】
本発明は、前記した従来技術に係る供給コンベヤの清掃等の保守作業を容易になし得る横形製袋充填機の供給コンベヤを提供することを目的とする。
【課題を解決するための手段】
【０００８】
前記課題を克服し、所期の目的を達成するため、請求項１の発明に係る横形製袋充填機の供給コンベヤは、
供給コンベヤの側壁間の上方開放部を覆うように供給コンベヤにおける本体部の上部に配設され、物品搬送ラインに沿って延在するすき間を画成する供給ベッドと、
前記すき間を介して上方へ延出し、該供給ベッドに載置された物品を物品搬送ラインに沿って押送する押送部材と、
前記供給ベッドの上方に所定のすき間をもって配設され、前記押送部材で搬送される物品の側方を案内する案内面となる側板と天板とを有する一対の物品ガイドと、
前記本体部に設けられ、前記各物品ガイドを近接・離間移動する調節部と、
該調節部において前記側壁から一端を外方に突出し、物品搬送方向と交差する方向に移動する移動ロッドと、
前記物品ガイドを移動ロッドの突出端部に回動可能に支持する回動手段との夫々を備え、
前記物品ガイドは、前記供給ベッド上方の案内位置から本体部から離間した側方の開放位置まで回動可能に構成したことを特徴とする。
【０００９】
請求項２に係る発明では、前記供給ベッドは、前記上部開放部を覆って水平に臨む閉成位置と、上部開放部を開放する開放位置との間を回動可能に前記本体部へ支持する構成としたことを要旨とする。
【００１０】
請求項３に係る発明では、前記供給ベッドおよび物品ガイドの夫々は、裏面側が表向きとなる姿勢まで回動し、開放位置でその姿勢を維持し得るよう構成したことを要旨とする。
【００１１】
請求項４に係る発明では、前記物品ガイドにおける前記案内面寄りに位置して物品搬送方向に所定間隔毎に配設され、該物品ガイドの案内位置において前記供給ベッド上に載置される載置部を有するガイド部材を備え、該載置部には、供給ベッドに当接する回転体を設けたことを要旨とする。
【発明の効果】
【００１２】
請求項１に係る発明によれば、物品ガイドを供給ベッド上から移動させることで供給ベッドには突起物や穴等の清掃時における障害物が存在することなくフラットな面とすることができ、供給コンベヤの清掃時の作業性が改善され、作業時間も短縮し得る。また、清掃作業に際して物品ガイドの脱着作業を要することなく、清掃時における作業負荷も軽減し得る。
請求項２に係る発明によれば、清掃に際して脱着工具を使用することなく供給ベッドを回動するだけで上方開放部を開放することができ、供給ベッドのすき間から本体内部に落下するなどした食品カス等を除去する等の清掃作業を容易になし得る。
請求項３に係る発明によれば、物品ガイドおよび供給ベッドは、裏面側が表向きとなる姿勢とし得るので、各部材の裏面の清掃時において、作業者は立ち姿勢で視認しつつ楽な作業姿勢によって清掃することができると共に、清掃漏れ部の発生を防止し得る。
請求項４に係る発明によれば、物品ガイドの幅調節に際して回転体が供給ベッド上を転動するので、物品ガイドが供給ベッドに擦れることはなく、幅調節を軽負荷で実施し得ると共に、物品ガイドの調節位置に関わらずガイド部材によって物品ガイドと供給ベッドとのすき間を常に一定に保持し、また天板の水平姿勢が変化することなく維持することができる。
【図面の簡単な説明】
【００１３】
【図１】実施例に係る供給コンベヤを一部省略して示す平面図である。
【図２】実施例に係る供給コンベヤを一部省略して示す側面図である。
【図３】実施例に係る供給コンベヤのガイド調節機構を示す平面図である。
【図４】図１のＡ−Ａ線断面図である。
【図５】図１のＢ−Ｂ線断面図である。
【発明を実施するための形態】
【００１４】
次に、本発明に係る横形製袋充填機の供給コンベヤにつき、好適な実施例を挙げて、添付図面を参照しながら以下説明する。
【実施例】
【００１５】
図１および図２は、実施例に係る横形製袋充填機(以下、包装機と称す)の供給コンベヤの全体構成を示すものであって、供給コンベヤは、本体部１０の上部空間を覆うように配設された供給ベッド１２,１２上に載置された物品Ｗを、無端チェン(無端索体)１４に所定間隔毎に設けられた押送部材１６を有する搬送体１８によって製袋手段で成形された筒状フィルムに向けて搬送するよう構成される。前記本体部１０は、物品搬送ラインＬを挟んで幅方向に離間する一対の側壁２０,２２が、物品搬送方向に離間する複数の連結部材２４を介して連結されており、両側壁２０,２２の間は、上方に開放されている。
【００１６】
前記本体部１０における前記両側壁２０,２２の間において上方に開放する上方開放部Ｔには、図３〜図５に示す如く、コンベヤに供給された物品Ｗを載置して搬送する供給ベッド１２が、物品搬送方向に離間する回動支持部材としての複数のヒンジ２６によって夫々回動可能に支持され、各供給ベッド１２は、前記上方開放部Ｔを覆うように物品ラインＬを挟む左右の領域を覆って水平に臨む閉成位置と、該閉成位置から１８０度反転してその裏面側が上方を向く姿勢となって上方開放部Ｔを開放する開放位置との間を回動するよう構成される。両供給ベッド１２,１２の閉成位置において、両供給ベッド１２,１２は、物品搬送ラインＬに沿って該供給ベッド１２,１２から上方に延出して物品Ｗを搬送する押送部材１６の延出通路となるすき間Ｓを挟んだ両側に位置決めされるように設けられている。また、すき間Ｓの下方には、前記押送部材１６が配設された無端チェン１４の下面に当接して、その走行を案内するガイドレール２８が、無端チェン１４の走行方向に向けて延在するよう配設されている。
【００１７】
図１に示す如く、前記本体部１０の対向する側壁２０,２２間には、物品搬送方向に離間して複数のスプロケット３０が回動自在に配設され、これらスプロケット３０に、無端チェン１４が巻掛けられ、図示しない駆動モータによってスプロケット３０を所定方向に回転駆動することで、無端チェン１４が前記ガイドレール２８上を上流側から下流側に向けて走行し、無端チェン１４に所定間隔毎に配設された押送部材１６によって物品Ｗを筒状フィルム中に搬送するよう構成される。
【００１８】
前記供給ベッド１２,１２の上方には、図１または図４に示す如く、物品搬送ラインＬを挟んで幅方向に対向する一対の物品ガイド３２,３２が搬送方向に所定長延在するように配設され、前記搬送体１８で搬送される物品Ｗの幅方向の左右両側部を案内し得るよう位置調節可能に構成されている。各物品ガイド３２は、前記供給ベッド１２を覆い得る所定幅寸法の天板３２ａの外周縁から下方に延出する側板を備えた逆トレー状を呈する長尺の部材であって、物品搬送ラインＬに臨む前記側板からなる側壁部が、前記押送部材１６で支持されて搬送される物品Ｍの側面を案内する案内面３２ｂとされる。なお、物品ガイド３２は、図１に示すように、下流側の外側部が所定長さに亘って切欠かれて上流側より幅寸法が狭く設定されており、実施例では下流側に向かうにつれて幅寸法が段階的に狭くなる幅挟部が複数段(例えば２段)で形成されている。また物品ガイド３２の天板３２ａは、作業者が物品Ｗを各押送部材間に供給する際の該物品Ｗの載置台として使用されるものであって、フラットな平面で形成されている。
【００１９】
各物品ガイド３２の外方端部側には、物品搬送方向に離間して複数の支持部材３４が下方に向けて延設され、各支持部材３４が本体部１０に配設された調節機構３６における移動ロッド３８ａに回動可能に支持されている。この調節機構３６は、図３または図４に示す如く、幅方向に平行に延在する上下に離間した一対のラック４０,４０と、両ラック４０,４０の間に設けられて共通的に噛合するピニオン４２とからなる調節部４４を、物品搬送方向に離間して複数備えると共に、これら調節部４４のピニオン４２を正逆回転する操作部４６を有する。
【００２０】
各調節部４４において前記各ラック４０と一体で幅方向に移動する取付部材３８は、幅方向に所定長さで延在して一端部が対応する側壁２０,２２から外方に突出する移動ロッド３８ａと、該ロッド３８ａの突出端部に位置調節自在に取り付けられて上方に延在するホルダ３８ｂとから構成され、該ホルダ３８ｂの延出端に、対応する側の物品ガイド３２の支持部材３４がヒンジ(回動手段)５８によって夫々回動可能に支持される。そして、各物品ガイド３２は、図４に示す如く、本体部１０の外側方に臨むヒンジ５８を中心として供給ベッド１２の上方に略水平に臨む物品Ｗの案内位置と、各側壁２０,２２の外側方に移動した開放位置との間を回動するよう構成される。
【００２１】
前記操作部４６は、図３または図５に示す如く、前述した複数の連結部材２４のうちの一つの連結部材２４に、幅方向へ水平に延在するよう回動自在に配設された操作軸４８を備え、該操作軸４８は、その一方の端部が一方の側壁２０から外方へ突出するよう配設されており、この操作軸４８の突出端部に調節ハンドル５０が配設される。また操作部４６は、物品搬送ラインＬに沿って延在するよう前記連結部材２４に回動自在に支持された連結軸５２を有し、該連結軸５２に前記各調節部４４のピニオン４２が夫々配設されている。前記操作軸４８における連結軸５２の端部と交差する部位に、該連結軸５２に配設されたウォームホイール５４と噛合するウォームギヤ５６が、該操作軸４８と一体的に回転するよう配設される。そして、調節ハンドル５０の回転操作に基づき、前記操作部４６および各調節部４４のギヤ伝達機構を介して一対の物品ガイド３２,３２が相互に近接・離間移動するよう構成される。物品ガイド３２における支持部材３４の配設位置の夫々には、図４に示す如く、前記天板３２ａの裏面側に位置し、支持部材３４の取着部から物品ガイド３２の案内面３２ｂとなる側壁部に向けてガイド部材６２が配設され、該ガイド部材６２における前記案内面３２ｂ側の端部には、前記物品ガイド３２の案内位置において供給ベッド１２の上に当接する載置部６４が配設される。該載置部６４には、物品ガイド３２の幅方向に離間する位置に、回転体としてのステンレス材からなる金属ローラ６０が複数設けられている。そして、該ローラ６０が供給ベッド１２に載置された状態で、物品ガイド３２における側板の下端と供給ベッド１２との間に所定のすき間を形成すると共に、前記天板３２ａが略水平姿勢となるように支持する。
【００２２】
また、前記ヒンジ２６によって本体部１０に回動可能に支持される供給ベッド１２およびヒンジ５８によって調節機構３６に回動可能に支持される物品ガイド３２は、閉成位置および案内位置に対して９０度以上回動し、かつ前記案内面３２ｂが上方を向く姿勢となる開放位置でその開放状態を維持し得るよう構成される。すなわち、各供給ベッド１２の閉成位置や各物品ガイド３２の案内位置において夫々表面側と反対面となる裏面が、開放位置において上向きとなる姿勢となる(図４または図５参照)。これにより、作業者が立った楽な姿勢で供給ベッド１２および物品ガイド３２の裏面側を目視しつつ清掃することができる。
【００２３】
〔実施例の作用〕
次に、前述した実施例に係る横形製袋充填機の供給コンベヤの作用につき説明する。
【００２４】
前記供給ベッド１２,１２を清掃する等の保守作業に際して、図４に二点鎖線で示す如く、前記各物品ガイド３２は、ヒンジ５８部の回動によって供給ベッド１２の上方から本体部１０の外側方に離間した開放位置に、その裏面が上向きで表側に向いた姿勢で臨む。物品ガイド３２と調節機構３６とは、本体部１０の左右両外側方で夫々連繋されているから、供給ベッド１２に、物品ガイド３２と調節機構３６とを連繋するための部材を挿通する開口部や供給ベッド１２上に突出する連繋部材等によって、該供給ベッド１２の清掃等の保守作業の妨げとなるものが存在しないので、保守作業に手間どることなく短時間で簡単に行なうことができる。
【００２５】
前記本体部１０の内部空間を清掃する場合は、図４に二点鎖線で示す如く、前記物品ガイド３２を開放位置に維持したもとで、更に前記供給ベッド１２をヒンジ２６を中心として回動して開放位置に臨ませることで、本体部１０の上方開放部Ｔが開放される。これにより、前記押送部材１６の延出通路となるすき間Ｓから内部空間に落下した食品カス等を簡単に除去することができる。また、前記供給ベッド１２および物品ガイド３２は、閉成位置および案内位置から９０度以上回動し、物品ガイド３２の案内面３２ｂが上方を向く姿勢となる開放位置において何れも裏面側が上向き姿勢となるので、該供給ベッド１２および物品ガイド３２の裏面側および物品ガイド３２の案内面３２ｂについて、作業者は立ち姿勢で上方から視認しながら清掃することができ、汚れの拭き残し等の清掃漏れ部が生ずるのを防止し得る。なお、物品ガイド３２は、前記天板３２ａに対して略直交する支持部材３４の下端が前記調節機構３６の可動ロッド３８ａの端部に配設されたホルダ３８ｂにヒンジ５８によって回動可能に支持されるから、該ヒンジ５８を中心として物品ガイド３２を開放位置に回動した際には、天板３２ａは本体部１０の外側方に大きく移動し、供給ベッド１２の開閉を妨げることはない。
【００２６】
前述したように、供給ベッド１２および物品ガイド３２は、本体部１０および調節機構３６に対して夫々工具を使用することなく手作業で回動し得るよう配設したから、清掃時等の保守に係る作業性が向上すると共に、本体部１０および調節機構３６から供給ベッド１２および物品ガイド３２を脱着する手間がなく、またその作業負荷を軽減し得る。すなわち、取り外した供給ベッド１２や物品ガイド３２の載置場所を確保したり、別の載置場所に載置した供給ベッド１２や物品ガイド３２が汚れる等の問題もなく、作業時間を短縮することができる。更に、供給コンベヤを清掃する際に供給ベッド１２や物品ガイド３２を開放位置に回動する作業は極めて簡単であるので、パートタイマ等の機械の取扱いに不慣れな作業者であっても、清掃作業を効率的かつ短時間で実施することができる。
【００２７】
前記物品ガイド３２,３２は、前記案内位置において供給ベッド１２,１２の上部で前記ローラ６０,６０が物品搬送方向に向けて所定間隔離間する複数位置で供給ベッド１２,１２に載置されて該供給ベッド１２,１２との間にすき間を形成しており、前記調節ハンドル５０の回転操作によってギヤ伝達機構を介して各調節部４４において取付部材３８,３８を相互に反対方向に移動することで、ローラ６０,６０が供給ベッド１２,１２上を転動して両物品ガイド３２,３２の側板は供給ベッド１２,１２に擦れることなく供給ベッド１２,１２とのすき間を保持したもとで移動調節される。従って、前記天板３２ａの水平姿勢が維持される。また、ローラ６０は、該物品ガイド３２と前記調節部４４とが連繋される支持部材３４の取着側となる外方端部側から離間した前記案内面３２ｂ寄りとなる内方端部側に配設されているから、該物品ガイド３２の支持側から隔てた端部側の荷重をローラ６０で支持することができ、前記調節ハンドル５０による調節操作力を軽負荷で操作することができる。
【００２８】
(変更例)
本発明は実施例の構成に限定されるものではなく、本発明の主旨の範囲内において種々の実施形態を採用し得るものであって、例えば、以下のようにも変更実施可能である。
(1) 実施例では、移動ロッド３８ａの突出端部に設けたホルダ３８ｂの上端部に、物品ガイド３２における天板３２ａから延出する支持部材３４をヒンジ５８によって回動可能に支持するよう構成したが、例えばホルダ３８ｂまたは支持部材３４の何れかを省略し、天板３２ａまたは移動ロッド３８ａにヒンジ５８を直接配設して物品ガイド３２を回動可能に支持する構成等を採用し得る。
(2) 実施例では、回動手段として別部材のヒンジ５８を用いたが、例えば移動ロッド３８ａの突出端部および物品ガイド３２の一方に設けた突部を、他方に設けた凹部や孔に回動可能に嵌合する等、移動ロッド３８ａに対して物品ガイド３２を回動可能に支持し得るその他公知の構成を採用し得る。
(3) 実施例では、物品ガイド３２が案内位置から９０度以上回動した開放位置においてその裏面側および案内面３２ｂが上向きとなる姿勢となるよう構成したが、裏面側が内または外の側方を向いて案内面３２ｂが外側方または下方を向く姿勢等、少なくとも裏面側が側方から上方に向く姿勢となり、物品ガイド３２が本体部１０から側方に離間するものであれば開放位置までの回動角度やそのときの姿勢等は制限されるものではない。
(4) 実施例では、供給ベッド１２を閉成位置から１８０度反転した位置を開放位置としたが、閉成位置から開放位置までの回動角度はこれに限定されるものでなく、本体部１０の上方開放部Ｔを開放し得る角度であれば、１８０度より小さくても大きくてもよい。
(5) 実施例では、ガイド部材６２における載置部６４の回転体としてステンレス材からなる金属ローラ６０を用いたが、供給ベッド１２上を転動可能な球状体等を採用してもよく、また材質もプラスチック、硬質ゴム等であってもよい。
また、載置部６４として、供給ベッド１２上に載置されて摺動するものであって、金属や低摩擦・耐摩耗性樹脂である各種エンジニアリングプラスチック材等を採用した構成とするものや、物品ガイド３２を供給ベッド１２に対してマグネットで浮かせる構成、更には物品ガイド３２の回転部(回動手段)を回動制限機構として物品ガイド３２が案内位置で水平姿勢となるよう保持する構成等、その他の種々の形態を採用し得る。
更に、ガイド部材６２の配設位置と配設数について、実施例では物品ガイド３２の支持部材３４と同じ位置に複数配置したが、少なくとも物品ガイド３２における天板３２ａの姿勢変化や供給ベッド１２とのすき間の変化に影響のない適宜位置で所定数設けるようにすればよく、前記物品ガイド３２の調節部４４の付近に夫々設けることが、物品ガイド３２の位置調節時における操作力の負荷軽減効果を最大限に得ることができるので最も好ましい。
(6) 実施例では、調節部４４としてラック４０とピニオン４２とを用いる機構を採用したが、一対の物品ガイド３２,３２を相互に近接・離間移動し得る、例えばネジ軸やリンク機構等、その他の機構を採用し得る。
(7) 実施例では一対の物品ガイド３２,３２を相互に近接・離間移動して対向間隔を調節する構成を採用したが、各物品ガイドを夫々独立して個別に幅方向に移動する構成を採用することができる。
(8) 実施例では本体部１０の上放開放部Ｔを開閉する供給ベッド１２を本体部１０へ回動可能に支持したが、該供給ベッド１２をスライド自在に配設して上方開放部Ｔをスライド移動により開閉する構成を採用し得る。
(9) 実施例では押送部材１６を無端チェン１４に配設した場合で説明したが、押送部材１６を配設するものとしては歯付きベルト等、その他の無端索体を採用することができ、採用する無端索体に応じて巻掛ける回転体(歯付きプーリ等)を用いればよい。
【符号の説明】
【００２９】
１０ 本体部，１２ 供給ベッド，１６ 押送部材，２０ 側壁，２２ 側壁
３２ 物品ガイド，３２ａ 天板，３２ｂ 案内面，３８ａ 移動ロッド，４４ 調節部
５８ ヒンジ(回動手段)，６０ ローラ(回転体)，６２ ガイド部材，６４ 載置部
Ｌ 物品搬送ライン，Ｓ すき間，Ｔ 上方開放部，Ｗ 物品
【図１】
2011173622.tif 000003
【図２】
2011173622.tif 000004
【図３】
2011173622.tif 000005
【図４】
2011173622.tif 000006
【図５】
2011173622.tif 000007